(57)【要約】【課題】加熱コイルユニットの組立て及び誘導加熱コイルと駆動回路基板との接続を容易に行うことができるコイル基板を備えた誘導加熱調理器を提供する。【解決手段】本体ケース２と、本体ケース２の天面側に位置し被加熱調理容器４０を載置する天板３と、被加熱調理容器４０を加熱する誘導加熱コイル１１と、誘導加熱コイル１１を載置しており誘導加熱コイル１１に電力を供給するパターンよりなる供給線１２，１３を備えたコイル基板１０と、供給線１２，１３を介して誘導加熱コイル１１に高周波電流を流す駆動回路基板２０と、コイル基板１０に設けられて供給線１２，１３及び駆動回路基板２０とを接続する接続手段２２と、誘導加熱コイル１１及び駆動回路基板２０を冷却するための送風手段３０とを備えた。【選択図】        図２
2006059762.tif 000002
【特許請求の範囲】
【請求項１】
本体ケースと、該本体ケースの天面側に位置し被加熱調理容器を載置する天板と、前記被加熱調理容器を加熱する誘導加熱コイルと、該誘導加熱コイルが載置されて該誘導加熱コイルに電力を供給するパターンからなる供給線を備えたコイル基板と、前記供給線を介して前記誘導加熱コイルに高周波電流を流す駆動回路基板と、前記コイル基板に設けられて前記供給線及び駆動回路基板を接続する接続手段と、前記誘導加熱コイル及び駆動回路基板を冷却するための送風手段とを備えたことを特徴とする誘導加熱調理器。
【請求項２】
本体ケースと、該本体ケースの天面側に位置し被加熱調理容器を載置する天板と、前記被加熱調理容器を加熱する誘導加熱コイルと、該誘導加熱コイルが載置されて該加熱コイルに電力を供給するパターンからなる供給線を備えたコイル基板と、該コイル基板の裏面に設けられ前記供給線を介して前記誘導加熱コイルに高周波電流を流す駆動回路体と、前記誘導加熱コイル及び駆動回路体を冷却するための送風手段とを備えたことを特徴とする誘導加熱調理器。  
【請求項３】
前記コイル基板に、表示体を設けたことを特徴とする請求項１又は２に記載の誘導加熱調理器。
【請求項４】
前記コイル基板に、前記誘導加熱コイルの外周を囲む防磁プリント線を設けたことを特徴とする請求項１及至３のいずれかに記載の誘導加熱調理器。
【請求項５】
前記コイル基板に、前記誘導加熱コイルの投影形状をした防磁プリント面を設けたことを特徴とする請求項１及至４のいずれかに記載の誘導加熱調理器。
【請求項６】
前記コイル基板を保持するホルダーを設け、該ホルダーに前記誘導加熱コイルと駆動回路体を冷却する送風手段を設けたことを特徴とする請求項２及至５のいずれかに記載の誘導加熱調理器。
【発明の詳細な説明】
【技術分野】
【０００１】
本発明は、誘導加熱調理器に係り、より詳しくは誘導加熱調理器の加熱部に関するものである。
【背景技術】
【０００２】
従来の誘導加熱調理器においては、コイル基板に、誘導加熱コイルの受電端子部と駆動回路基板のリード線を接続する接続固定手段とを設けていた（例えば、特許文献１参照）。
【０００３】
また、従来の誘導加熱調理器においては、誘導加熱コイルの受電端子部をコイル基板と一体成形して、加熱コイルユニットと駆動回路基板との接続を組立と同時に行っていた（例えば、特許文献２参照）。
【特許文献１】特開２００２−７５６１１号公報（第１頁、図４）
【特許文献２】特開平６−５３５７号公報（第１頁、図１）
【発明の開示】
【発明が解決しようとする課題】
【０００４】
特許文献１，２の従来の誘導加熱調理器では、コイル基板上の接続固定手段まで誘導加熱コイルの端末線長を伸ばさなければならないため、誘導加熱コイル端末線の引回しや保持等の組立工程が増えてしまうという問題があった。また、受電端子部の一体成形は仕様変更などがあった場合、接続位置の変更が出来ず、フレキシブルな設計には向かないという問題があった。
【０００５】
本発明は上記のような課題を解決するためになされたもので、加熱コイルユニットの組立て及び誘導加熱コイルと駆動回路基板との接続を容易に行うことができるコイル基板を備えた誘導加熱調理器を提供することを目的とする。
また、本発明は誘導加熱コイルから発生する高周波磁界の影響を少なくすることのできる誘導加熱調理器を提供することを目的としたものである。
【課題を解決するための手段】
【０００６】
本発明に係る誘導加熱調理器は、本体ケースと、本体ケースの天面側に位置し被加熱調理容器を載置する天板と、被加熱調理容器を加熱する誘導加熱コイルと、この誘導加熱コイルを載置して誘導加熱コイルに電力を供給するパターンからなる供給線を備えたコイル基板と、供給線を介して誘導加熱コイルに高周波電流を流す駆動回路基板と、コイル基板に設けられて供給線及び駆動回路基板を接続する接続手段と、誘導加熱コイル及び駆動回路基板を冷却するための送風手段とを備えたものである。
【発明の効果】
【０００７】
本発明の誘導加熱調理器によれば、加熱コイルユニットの組立て、及び誘導加熱コイルと駆動回路基板との接続を容易に行うことができる。
【発明を実施するための最良の形態】
【０００８】
実施の形態１．
図１は本発明の実施形態１に係る誘導加熱調理器の斜視図、図２は図１の縦断面図である。図に示すように、誘導加熱調理器１は、本体を構成する本体ケース２と、被加熱調理容器４０を載置する天板３と、火力やタイマーを操作し設定する操作パネル６と、ロースター部７とから構成されている。天板３には、被加熱調理容器４０の載置位置を示す円状の載置部４と、操作パネル６と連動して作動する火力やタイマーの表示体を見るための窓部５が設けられている。
【０００９】
そして、天板３の下方には、被加熱調理容器４０を加熱させるための誘導加熱コイル１１（以下、加熱コイルという）と、加熱コイル１１を載置するベースコイル（コイル基板）１０が設けられている。さらに、ベースコイル１０の下方には、加熱コイル１１を駆動させる駆動回路基板２０と、加熱コイル１１と駆動回路基板２０を冷却するための送風機３０が設けられている。また、ベースコイル１０上には、加熱コイル１１のほかに、駆動回路基板２０から引き出されたリード線２１が接続される接続固定部２２が設けられている。
【００１０】
図３（ａ）、（ｂ）は、それぞれ、図１、図２に示した誘導加熱装置の加熱コイル１１、ベースコイル１０及び接続固定部２２を含めた加熱コイルユニットの分解斜視図、及びその組立状態を示す縦断面図である。図に示すように、加熱コイルユニットにおいて、ベースコイル１０の裏面には、加熱コイル１１に電力を供給するパターンよりなるプリント導線である第１、第２の供給線１２，１３が形成されている。そして、第１の供給線１２の一端１２ａは加熱コイル１１の第１の端末１１ａと接続され、第２の供給線１３の一端１３ａは加熱コイル１１の第２の端末１１ｂと接続されており、また、第１の供給線１２の他端１２ｂ及び第２の供給線１３の他端１３ｂは、それぞれ接続固定部２２の第１の連結部２２ａ及び第２の連結部２２ｂに接続されている。
このため、加熱コイル１１と接続固定部２２は、ベースコイル１０と組み合わせることのみによって接続が可能になる。このように、加熱コイルユニットを基板化して、そこに加熱コイル１１を固定することによって、誘導加熱調理器の構造を簡素化でき、組立性を向上させることができるうえ、装置の小型化を図ることが可能となった。
【００１１】
加熱コイル１１に供給される電力は、駆動回路基板２０からリード線２１を通り、接続固定部２２に入る。さらに接続固定部２２から第１、第２の供給線１２，１３を通り、加熱コイル１１に送られる。
加熱コイル１１に電力が供給されている間、加熱コイル１１の端末線近傍には高周波磁界が発生する。高周波磁界の影響は、加熱コイル１１の端末線長が長くなると大きくなり、短くなると小さくなる。第１、第２の供給線１２，１３は、加熱コイル１１と接続固定部２２と接続しているため、加熱コイル１１の端末線長は、接続固定部２２の位置に関わらず短く設定できる。このように、本発明に係る誘導加熱調理器１では、ベースコイル１０に第１、第２の供給線１２，１３が形成されているため、加熱コイル１１から発生する高周波磁界の影響を小さくすることができる。
【００１２】
実施の形態２．
図４は本発明の実施の形態２に係る誘導加熱調理器の加熱コイルユニットを示す表面図で、実施の形態１に示した加熱コイルユニットにさらに防磁プリント線を設けたものである。図に示すように、線両端を接続したエンドレスの防磁プリント線１４を、ベースコイル１０に設けた加熱コイル１１や供給線１２，１３の外周を囲う位置であって、ベースコイル１０の裏面側に例えばほぼ正方形状に設けたものである。こうして、加熱コイル１１より水平面上に発生する高周波磁界の影響を小さくすることができる。
【００１３】
なお、上記の説明では、防磁プリント線１４をベースコイル１０の裏面側に設けた場合について示したが、図５に示すように、防磁プリント線１４をベースコイル１０の表面側に設けるようにしてもよい。この場合でも、先と同様の効果を得ることができる。
また、図６（ａ），（ｂ）に示すように、防磁プリント線１４をベースコイル１０の表裏両面の同位置に設けてもよい。この場合は、高周波磁界の影響により発熱した防磁プリント線１４の発熱量を分散することができ、さらに高周波磁界の影響を小さくすることができる。
【００１４】
実施の形態３．
図７（ａ），（ｂ）は本発明の実施の形態３に係る誘導加熱調理器の加熱コイルユニットを示す表面図及びその裏面図で、実施の形態１に示した加熱コイルユニットに防磁プリント面を設けたものである。図に示すように、加熱コイル１１の投影形状をなすプリント導板により形成した防磁プリント面１５を、加熱コイル１１と同位置であってベースコイル１１の裏面側に設けたものである。
防磁プリント面１５が加熱コイル１１よりも下方向に発生する高周波磁界を抑制するため、ベースコイル１０の下方に設けられた駆動回路基板２０が受ける高周波磁界の影響は小さくなる。
【００１５】
実施の形態４．
図８（ａ），（ｂ）は本発明の実施の形態４に係る誘導加熱調理器の加熱コイルユッニトを示す表面図及びその裏面図で、実施の形態３に示した防磁プリント面１５を備えた加熱コイルユニットの周囲にさらに防磁プリント線１４を設けたものである。図に示すように、加熱コイル１１の投影形状をなすプリント導板により形成した防磁プリント面１５を、加熱コイル１１と同位置であってベースコイル１０の裏面側に設ける共に、線両端を接続した防磁プリント線１４を、加熱コイル１１、防磁プリント面１５及び供給線１２，１３の外周を囲う位置であって、ベースコイル１０の表裏両面の同位置に設けたものである。
このように、ベースコイル１０に防磁プリント線１４と防磁プリント面１５を同時に設けたので、加熱コイル１１の横方向及び下方向の高周波磁界を同時に抑えることができる。
【００１６】
実施の形態５．
図９（ａ），（ｂ）は本発明の実施の形態５に係る誘導加熱調理器の加熱コイルユニットを示す表面図及びその裏面図である。図に示すように、供給線と接続固定部は、加熱コイル１１への供給線１２，１３と、この供給線１２，１３の接続固定部２２に加えて、例えば、ＬＥＤやＬＣＤへの電力供給として、火力表示やタイマーのような表示体への供給線１７と、この供給線１７の接続固定部１８を設けたものである。なお、本実施の形態５においては、表示体１６を加熱コイル１１の水平面上に設けている。
こうして、誘導加熱調理器１の構造を簡易化できる上、小型化を図ることが可能になる。
【００１７】
実施の形態６．
図１０（ａ），（ｂ）は本発明の実施の形態６に係る誘導加熱調理器の加熱コイルユニットを示す表面図及びその裏面図である。本実施の形態６においては、実施の形態５に示した加熱コイルユニットの周囲に、さらに防磁プリント線１４を設けたものである。図に示すように、線両端を接続したエンドレスの防磁プリント線１４を、表示体１６と加熱コイル１１の間を通る位置であって、表裏両面側の同位置に設けたものである。
こうして、表示体１６を加熱コイル１１の水平面上に設けているため、表示体１６と加熱コイル１１の間を通る位置に設けた防磁プリント線１４によって、表示体１６に電力を供給する表示体供給線１７や接続固定部１８への高周波磁界の影響が小さくなる。また、誘導加熱調理器１の構造を簡易化できる上、小型化を図ることが可能になる。
【００１８】
実施の形態７．
図１１（ａ），（ｂ）は本発明の実施の形態７に係る誘導加熱調理器の加熱コイルユニットの分解状態を示す斜視図、及びその組立状態を示す縦断面図で、誘導加熱装置に設けられた駆動回路体を加熱コイルユニットに組み込んだものである。図に示すように、ベースコイル１０の表面に加熱コイル１１を取り付け、裏面に駆動回路体２３を取り付けたものである。
本実施の形態７によれば、本体に別設置する駆動回路基板と、ベースコイル上に設けた接続固定部が不要になるため、組立てを容易に行うことができる。また、加熱コイル１１と駆動回路体２３の冷却において、ベースコイル１０は冷却風を上下に振分け、発熱部を効率良く冷却する仕切り板の役割と、ベースコイル１０の表裏にある加熱コイル１１及び駆動回路体２３の熱伝導を遮断する遮熱板の役割を果たす。
【００１９】
実施の形態８．
図１２（ａ），（ｂ）は本発明の実施の形態８に係る誘導加熱調理器の斜視図、及びその縦断面図である。図に示すように、加熱駆動ユニットにホルダー２４を設け、ホルダー２４に送風機３０を取り付けたものである。
ホルダー２４に設けた送風機３０により、ベースコイル１０を仕切りにして、ベースコイル１０表面の加熱コイル１１と裏面の駆動回路体２３とを、直接かつ同時に冷却する。このため、冷却効率が良くなる。また、組立てる場合は、加熱駆動ユニットを組立ててから、これを本体に組込む。このため、ユニット、本体共に組立が容易になり、かつ修理に際してもユニットごと本体から着脱でき、作業性は向上する。また、実施の形態１〜７に示した表示体１６や、防磁プリント線１４、防磁プリント面１５も設けることができる。こうして、構造が簡易化され、さらに組立が容易となる。
【図面の簡単な説明】
【００２０】
【図１】本発明の実施形態１に係る誘導加熱調理器の斜視図である。
【図２】図１の縦断面図である。
【図３】図１の加熱コイルユニットの分解斜視図およびその組立状態を示す縦断面図である。
【図４】本発明の実施形態２に係る誘導加熱調理器の加熱コイルユニットの表面図である。
【図５】実施形態２に係る誘導加熱調理器の他の加熱コイルユニットの表面図である。
【図６】実施形態２に係る誘導加熱調理器の別の加熱コイルユニットの表面図及びその裏面図である。
【図７】本発明の実施形態３に係る誘導加熱調理器の加熱コイルユニットの表面図及びその裏面図である。
【図８】本発明の実施形態４に係る誘導加熱調理器の加熱コイルユニットの表面図及びその裏面図である。
【図９】本発明の実施形態５に係る誘導加熱調理器の加熱コイルユニットの表面図及びその裏面図である。
【図１０】本発明の実施形態６に係る誘導加熱調理器の加熱コイルユニットの表面図及びその裏面図である。
【図１１】本発明の実施形態７に係る誘導加熱調理器の加熱コイルユニットの分解斜視図及びその組立状態を示す縦断面図である。
【図１２】本発明の実施形態８に係る誘導加熱調理器の斜視図及びその縦断面図である。
【符号の説明】
【００２１】
２  本体ケース、３  天板、１０  ベースコイル（コイル基板）、１１  誘導加熱コイル、１２，１３，１７  供給線、１４  防磁プリント線、１５  防磁プリント面、１６  表示体、１８，２２  接続固定部（接続手段）、２０  駆動回路基板、２３  駆動回路体、２４  ホルダー、３０  送風機（送風手段）、４０  被加熱調理容器。
【図１】
2006059762.tif 000003
【図２】
2006059762.tif 000004
【図３】
2006059762.tif 000005
【図４】
2006059762.tif 000006
【図５】
2006059762.tif 000007
【図６】
2006059762.tif 000008
【図７】
2006059762.tif 000009
【図８】
2006059762.tif 000010
【図９】
2006059762.tif 000011
【図１０】
2006059762.tif 000012
【図１１】
2006059762.tif 000013
【図１２】
2006059762.tif 000014